(57)【特許請求の範囲】
【請求項１】
ホースなど、とくにぜん動ポンプに用いられる弾性ポンプ管またはポンプ流路を管理するための組合せアセンブリにおいて、前記ポンプに、前記ホース／管に加えられるポンプ圧力および／または圧縮を調整するためのアセンブリが設けられ、該アセンブリは、無段階に調整可能な偏心調整メカニズムを含み、該偏心調整メカニズムは、ポンプ本体の背壁のベアリングにポンプキャビティの中心にくるよう取り付けられたクランクシャフトピンを含み、前記偏心調整メカニズムを用いて、前記クランクシャフトピンに取り付けられた偏心調整ブッシングを回転させることによって、ポンプロータの外面とポンプキャビティの内周との間のギャップを調整することを特徴とする組合せアセンブリ。
【請求項２】
請求項１に記載の組合せアセンブリにおいて、前記偏心調整メカニズムは、ウォームギア、ロックカバー、ロックピン、および少なくとも１つのロッキングボルトを含み、前記偏心調整ブッシングは前記ロッキングボルトによって前記ロックカバーを用いて前記クランクシャフトピンとロックされ、前記ロックカバーは、前記ロッキングボルトによって前記偏心調整ブッシングにクランプされ、また前記クランクシャフトピンの端部にねじ込まれた前記ロックピンによってロックされ、前記偏心調整ブッシングは前記クランクシャフトピンの端部に取り付けられた平歯車によって回転され、該平歯車は前記ウォームギアによって駆動されることを特徴とする組合せアセンブリ。
【請求項３】
請求項１または２に記載の組合せアセンブリにおいて、前記偏心調整ブッシングの偏心距離は、該ブッシングの穴を該ブッシングの外周に対して偏心させて開けることによって得られることを特徴とする組合せアセンブリ。
【請求項４】
請求項２に記載の組合せアセンブリにおいて、前記偏心調整ブッシングの回転は、該偏心調整ブッシングと前記クランクシャフトとの間に適合されたウォームギアなどの減速ギアを用いて行なわれ、該減速ギアは、ウォームを前記偏心調整ブッシングの中実本体部分に適合させることによって構成されることを特徴とする組合せアセンブリ。
【請求項５】
請求項２から４までのいずれかに記載の組合せアセンブリにおいて、前記平歯車は前記クランクシャフトの端部に取り付けられていることを特徴とする組合せアセンブリ。
【請求項６】
請求項２から４までのいずれかに記載の組合せアセンブリにおいて、前記平歯車は前記クランクシャフトの端部に直接機械加工されていることを特徴とする組合せアセンブリ。
【請求項７】
請求項２から６までのいずれかに記載の組合せアセンブリにおいて、ホース圧縮の調整力は、ウォームギアをその端部で回転させるための較正されたトルクレンチを用いて制御されることを特徴とする組合せアセンブリ。
【請求項８】
請求項２から７までのいずれかに記載の組合せアセンブリにおいて、前記偏心調整ブッシングは、該偏心調整ブッシングの円錐面にボルトによってクランプされた前記ロックカバーを用いて前記クランクシャフトピンにロックされ、同時に、ボルトの締め付けによって加えられる力によって、前記ロックカバーフランジと前記偏心調整ブッシングとの間に配置されるシーリングＯリングが押圧されることを特徴とする組合せアセンブリ。
【請求項９】
請求項２から８までのいずれかに記載の組合せアセンブリにおいて、前記ロックカバーの回転が、前記クランクシャフトピン端部と該ロックカバーとの間に配置されるロックピンによって防止されることを特徴とする組合せアセンブリ。
【請求項１０】
請求項２から９までのいずれかに記載の組合せアセンブリにおいて、前記ロックカバーによって、前記偏心調整ブッシングに取り付けられるベアリングの内側レースも、該偏心調整ブッシングのショルダと前記クランクシャフトのショルダとの間で軸方向にクランプされることを特徴とする組合せアセンブリ。
【請求項１１】
請求項１から10までのいずれかに記載の組合せアセンブリにおいて、該組合せアセンブリはさらに、つなぎ留めホースフィッティングシステムを含み、該つなぎ留めホースフィッティングシステムは、前記ホース端部に挿入されるゴムフランジ、シールギル、および分割されたコレットの２つの半体を含むことを特徴とする組合せアセンブリ。
【請求項１２】
請求項11に記載の組合せアセンブリにおいて、前記つなぎ留めホースフィッティングシステムは取付フランジを含み、前記シールギルは２つのギルを含むことを特徴とする組合せアセンブリ。
【請求項１３】
請求項11に記載の組合せアセンブリにおいて、前記シールギルは、前記ホース端部フランジから突出するように作られ、該シールギルの外側エッジ間の直径寸法が該ホース端部フランジの外側直径と一致する形状をしており、および前記シールギルが、前記ホースの外周の周りに、互いにその対向する側に配置され、該シールギルの断面は0.5〜1mmに作られ、これらの値は、前記コレットが２つの半体に分割されているために、該コレットに対して作られたスリットの幅よりも厚いことを特徴とする組合せアセンブリ。
【請求項１４】
請求項11、12または13に記載の組合せアセンブリにおいて、前記ポンプ本体に作られるフィードスルー開口部は、前記ホース端部に挿入されるホース端部フランジの外側直径と同じサイズかまたはわずかに大きく、前記分割されたコレットは、該ホース端部フランジの周りで該ホース端部フランジの背後に配置されるために、前記シールギルは、該分割されたコレット半体間に捕捉された状態のままであることを特徴とする組合せアセンブリ。
【請求項１５】
請求項11から14までのいずれかに記載の組合せアセンブリにおいて、前記分割されたコレットのフランジは、前記ホース端部に挿入される前記ホース端部フランジに対して取り付けられ、該分割されたコレットのフランジの背後の側に対して、Ｏリングが配置され、該Ｏリングは、該分割されたコレットのフランジと、前記ポンプ本体のフィードスルー開口部のエッジに対して作られたベベルとの間のギャップで圧縮され、その結果、前記分割されたコレットの半体を前記シールギルに対して押圧する力が及ぼされ、該力は、該分割されたコレットと前記ポンプ本体との間のギャップをシールすることを特徴とする組合せアセンブリ。
【請求項１６】
請求項11から15までのいずれかに記載の組合せアセンブリにおいて、前記取付フランジに対して、前記ホース端部フランジの過剰な締め付けを防止するように働く窪んだショルダが作られていることを特徴とする組合せアセンブリ。
【発明の詳細な説明】
【詳細な説明】
【０００１】
本発明は、とくに容量型ポンプで用いられるホースなどの弾性ポンプ管またはポンプ流路を管理するための請求項１の前段による組合せアセンブリに関する。
【０００２】
ぜん動ポンプが下位分類を形成する容量型ポンプは、問題となる物質、とくに研磨性、腐食性、スラリ状または高粘性の液体および液体懸濁固体などをポンピングするために用いられる。ぜん動ポンプも好ましいが、基本的な機能としてのポンピングを、正確な計量、高い衛生上の規格、密封性によって補足しなければならない。ぜん動ポンプは、たとえば食品、薬、油、および化学製品の製造において広く用いられている。重工業では、ぜん動ポンプは、液体および鉱石／鉱物の懸濁液などの材料をポンピングする働きをする。
【０００３】
適切に動作するためには、ぜん動ポンプは、一定量の流体媒体をホース／管に沿って強制的に移動させることができる必要があり、これは、ポンプロータが１回転する間に、ホースを端部から端部へぜん動的に圧縮し、それと同時に、次の一定量の流体がホースをすでに充填しているということによって行なう。従来、このポンピング手順は、非回転のシューまたは圧縮ローラを回転させることによって実現され、これによりホースは、シュー／ローラとポンプヘッドの周囲の壁との間のニップで、進行性の圧縮を受ける。さらに、ホース／管／チュービングは、十分に弾力性があるとともに強化されたものが選択されており、その結果、ホースはその円形プロファイルを圧縮直後に回復し、それによりその管腔に真空を形成し、流体媒体の次の体積がホースへ入ることが促されるようになっている。
【０００４】
最も一般的には、このポンプ構成は、まっすぐなホース／管を曲げて、ポンプヘッドキャビティ内に適合する半円にすることによって実現され、ホースは、直径方向に対向する２つのシューまたはローラによって半径方向に圧縮される。この種のポンプの実施例の特徴は、シューまたはローラが圧縮力を常にホースに印加すること、およびポンプには通常、潤滑剤（たとえば、グリセリン）が半分ほど充填されていることである。潤滑剤の働きは、摩擦熱をポンプの外部ハウジング構体へおよびそこからポンプの外へ移すことに加えて、ホースを圧縮する間に発生する滑り摩擦または転がり摩擦を減らすことの両方である。しかしロータ速度または動作が揚程に対して高くなると、ポンプが非常に熱くなるため、ポンプを規則的な間隔で停止させて冷却しなければならない。ポンプの仕様が連続動作である場合には、ポンプだけでなく駆動モータ／ギアも、大きめに寸法取りしなければならない。その結果、かなりの投資および運転コストとなる。また、ポンプのサービスおよび調整の際もさらにコストがかかる。なぜならば、潤滑剤を抜いて取り替えると同時に、ポンプハウジングおよびシャフトのシールを取り替えなければならないからである。
【０００５】
さらに、この種の従来技術の構成では、ロータシュー／ローラの両方が、ホースの吸引端部でホースの圧縮を開始するため、固定されたホース設備およびホースそれ自体の両方に対して、一時的な力衝撃が加わる。このような衝撃は、ポンプロータの１回転の間に２回起こるため、ホースに、とくにホース端部のつなぎ留めフィッティングに、強い応力が加わる。
【０００６】
ポンプ構成によっては、試みとして、ベアリングにおいて環状の軌跡に沿って回転して進む圧縮ホイールを用いることによって、高研磨摩擦および急激な脈動を減らすことが行なわれている。この場合、ホースを曲げて一周またはそれ以上にして、ホースの吸引端部と排出端部とがオーバーラップするようにしてもよい。この種の単一接点の回転ホイールは、圧縮ホイールとホースとの間の摩擦が最小限に抑えられるため、必要な潤滑剤が実質的に減る。さらに、単一接点のポンプロータがホースの一周に渡って進むために、ポンピングパルスの数が半分になる。すなわち、ロータの１回転あたりにポンプから放出される流体パルスが、２つではなく１つだけとなる。また残存する流体脈動の強さも小さくなる。なぜならば、ロータの圧縮面積が、より大きいために、ホースの管腔を閉じる速度が個々に、より遅くなり、その結果、流体パルスの始まり／立下りが、二重接点ポンプの場合よりも、より遅いからである。この種の構成も、摩擦が小さく、したがって、生成される熱が少ない。そのため、より速いロータ速度で連続動作を行なうことが容易になるため、所望する体積流量を生成するためのポンプ、ギア列、およびモータを小さくすることができる。
【０００７】
しかし高速度での連続動作は、ホースおよび、とくにホース端部のつなぎ留めフィッティングの両方に対して、厳しいものとなる。したがって、ぜん動タイプの従来技術の容量型ポンプにおける典型的な問題は、ホース端部をポンプハウジングにつなぎ留めて固定することに関連する。従来、ホースは、ホースクランプ／インサートによって、ポンプハウジングの外側に取り付けられる支持フランジに固定されている。ホース端部をつなぎ留めて固定するためには、線圧をポンプに加えなければならず、またホースフィードスルー開口部をシールして、ポンプでホース潤滑剤として機能する媒体がポンプハウジングからリークしないようにしなければならない。同時に、ホースをポンプハウジングに非常に堅く固定して、ロータからホースに加える力が、ホース端部を自由に引く／押すことができないようにしなければならない。
【０００８】
最新の技術は、たとえば、仏国特許公開第FR-1114877号明細書に示されている。この文献に開示される構成では、ロールが、クランクシャフトによって、ポンプキャビティで環状に回転できるように適合されている。ポンプ構造は、引用した参照刊行物の図２に示されている。弾性ポンプ流路は、ポンプキャビティで一周360°をカバーしてはいないことに注意されたい。
【０００９】
オーストラリア特許公開第AU-19971675号明細書「動的なポンプ管を有する環状のぜん動ポンプ」では、代替的な駆動手段によってポンプキャビティで回転できるように適合された振動性の圧縮性リングが開示されている。管は、ポンプキャビティの内周に沿って一周360°を通っており、また管の吸引端部／排出端部がポンプキャビティに、ポンプハウジングに対して接線的に入り／離れている。管の断面は、引用した参照刊行物の図６に示されている。
【００１０】
従来技術の構成を阻む重大な問題は、圧縮力を設定するための調整メカニズムが全くないことである。より具体的には、ポンプホースなどの弾性流路に印加される圧縮を設定するための設備が設けられておらず、そのため、ロータとポンプキャビティとの間の距離を一定値から変えることができない。上記列挙した欠点に加えて、ホースをポンプハウジングにつなぎ留めフィッティングする従来の実施例は、極めて不便なやり方で実施されることが多い。言い換えれば、その実際的な機能性および毎日のサービスに関して技術的に具体化することは、ほとんどの場合、全く無視されている。
【００１１】
ほとんどいつも、前述した問題は互いに関連しており、また多くの場合に、互いに密接な因果関係にある。したがって、ぜん動ポンプの能率的でサービスに適した動作を得るためには、簡単で信頼性の高いホースのつなぎ留めフィッティングに加えてホース圧縮の調整メカニズムを特徴とするシステムを開発する試みをさらに行なうことが、極めて不可欠であるように思われる。
【００１２】
本発明の目的は、前述の不利な点を打開することである。本発明の目標は、ホースなどの弾性ポンプ管またはポンプ流路、とくに容量型ポンプにおいて用いられるようなホース／管を管理するための組合せアセンブリによって達成される。
【００１３】
本発明によるアセンブリの詳細は、添付の特許請求の範囲の特徴部に開示される。本発明が従来技術と異なる点は、ポンプが、ホース／管に加えられるポンプ圧力および／または圧縮の調整に適したアセンブリを備えていることであり、アセンブリの特徴は、無段階に調整可能な偏心距離を伴うメカニズムである。この特徴に加えて、本発明の特徴は、ぜん動ポンプが、単独でまたは偏心調整メカニズムと協力して、ポンプホース／管に加えられる圧力を管理するためのつなぎ留めホースフィッティングシステムを用いることに適合可能であることである。
【００１４】
以下、本発明を、添付の図面を参照しながら詳細に説明する。
【００１５】
図１を参照すると、ぜん動ポンプの主なコンポーネントが示されている。ポンプは、ポンプ本体１、ホース２、およびロータ３を含む。ロータ３は、偏心調整ブッシング５に取り付けられたベアリングに自由に回転可能に取り付けられている。偏心調整ブッシングそれ自体は、図２の参照数字10によって示されるクランクシャフトピンに取り付けられている。クランクシャフトは、ポンプ本体１の背壁のベアリングに、ポンプキャビティ34の中心にくるように取り付けられている。ホースなどの弾性ポンプ管またはポンプ流路が、内部にロータが収容されるポンプキャビティに挿入されている。ホースは、ポンプキャビティの内周に対して、一周に渡るように置かれている。ホース端部は、ポンプ本体のフィードスルー開口部８に、つなぎ留めによって取り付けられている。駆動手段によって作動されて、クランクシャフトは、ロータを強制的に、ポンプキャビティにおいてポンプキャビティの内周から所定の距離において回転させる。この距離は、ホース／管壁の厚みの２倍よりも小さくなるように設定される。この結果、ロータは、ポンプキャビティに挿入されたホースを圧縮する。その結果、ロータの回転によって、流体媒体の体積がポンピングされてロータ前方のホースに収容され、この体積が、ロータによって圧縮されたホース箇所を過ぎて逆の方向へリークすることが防止される。ポンプキャビティでのロータの回転によって、ロータがホース表面を回転するため、ホースに収容された流体媒体を押し進める。ロータの回転前進運動、およびホースがロータ圧縮箇所の直後にその円形のプロファイルに戻ることにより、ホースによって真空が形成される。この真空によって、ポンピングされている流体媒体がホースに再び満たされる。
【００１６】
図２、図３、および図４に、偏心調整メカニズムを示す。メカニズムは、偏心調整ブッシング５、ウォームギア６、平歯車９、ロックカバー４、ロックピン11、およびロッキングボルト１２を含む。偏心調整メカニズムは、ロータ外面とポンプキャビティ内周との間の図４に示されたギャップ23を調整するように働く。ポンプキャビティの内周によって、ホースに加えられる圧縮力が決定される。ロータギャップは、クランクシャフトピン10に取り付けられた偏心ブッシング５を回転させることによって調整される。ロータそれ自体は、偏心ブッシングの外周のベアリングに取り付けられる。図３に示した調整ブッシングの偏心距離19は、ブッシングの穴を、ブッシングの外周に対して偏心させて開けることによって得られる。
【００１７】
偏心調整ブッシングを回転させることは、偏心ブッシングとクランクシャフトとの間に適合されたウォームギアなどの減速ギアを用いて行なわれる。減速ギアは、ウォーム６、すなわち減速ギアの駆動シャフトを、偏心ブッシングの固体ボディ部分に適合させることによって構成される。平歯車９、すなわち駆動されるギアは、クランクシャフトピンの端部に取り付けられる。あるいは、駆動される平歯車９を、クランクシャフトピンの端部に、直接機械加工してもよい。駆動シャフトが回転することで、偏心ブッシングがクランクシャフトピン上で回る。その結果、ロータの外周とポンプキャビティの内周との間の距離23が、図４に示したように変化する。ポンプロータと本体との間の距離調整の最大可能な長さは、図３に示したように、ブッシング５の肉厚20および21間の差に等しい。
【００１８】
ウォームギアなどの自動ロック式のギアを減速ギアとして用いることが、有利である。この結果、ロータギャップ調整は、オペレータが一人でも正確かつ容易に行なうことができる。なぜならば、自動ロック式の減速ギアによって、ブッシングが無制御状態で回転することが防止されるために、ホースに印加された圧縮力によってブッシングが逆に回転することはあり得ないからである。歯状の減速ギアを用いることに基づいて、ロータギャップ調整を、何らかの特別なツールまたは調整シムを必要とすることなく行なうことができる。
【００１９】
ポンプの動作中に、偏心調整ブッシングは、偏心ブッシングを回転させる傾向の力を継続的に受ける。ロックカバー４によって、偏心ブッシングは、クランクシャフトピンにロックされる。そのため減速ギアは、ポンプの動作中に偏心ブッシングに向けられる回転力のすべてを受けないで済む。ロックカバーは、偏心ブッシングの円錐面14に対してクランプされる。これは、図２に示したボルト12を、ロックカバーを通して、図３に示したクランクシャフト端部のネジ山付き孔22内にはめることによって行なう。円錐状のはめ合いのロッキング力が及ぼされることに加えて、締め付けられたボルトが、ロックカバーフランジと偏心ブッシングとの間に配置されるシーリングＯリング15を押圧するため、ホース潤滑剤または他の汚染物が、減速ギア内におよび偏心ブッシングとクランクシャフトピンとの間の界面に入ることがない。このように、ロックカバーを通過するネジの働きは、ロックカバーを円錐面13に対して密着させた状態に保つクランピング力を与えることだけである。偏心ブッシングを回転させる傾向の力は、ロックカバーと偏心ブッシングとの間の円錐状の界面を介して伝えられ、さらにクランクシャフトとロックカバーとの間のロッキングを介してクランクシャフト端部に伝えられる。このロッキングは、クランクシャフト端部に入り込んだロックピン11、またはキースロットを用いて実現される。ロックカバーには、ロックピンまたはキーと噛み合う凹部13が、それぞれ設けられている。
【００２０】
ロックカバーによって、偏心ブッシングに取り付けられるベアリングの内側レースも、偏心ブッシングのショルダ17とクランクシャフトのショルダ16との間で、軸方向にクランプすることができる。これは、ベアリングの内側レースを、偏心ブッシングショルダとクランクシャフトショルダとの間の静止した密接なはめ合いでクランプするために必要であり、その結果、偏心ブッシングに対するベアリングの遊びが防止される。
【００２１】
容量型に基づくぜん動ポンプの特徴的な特性は、ホース／管の内面が、ポンピング中に腐食することである。このプロセスによって、ホース肉厚が薄くなり、したがって、ポンプロータと本体との間のギャップにおけるホース圧縮が減少する。したがってホース圧縮は、ホースの耐用期間中に調整しなければならない。連続的に用いる間に、ホースの既知の肉厚が擦り減って、未知の値になる。このような状況では、ホース圧縮を正確に調整する従来の技術で適用されるべき有効なルールを確立することは、非常に難しい。調整ルールが有効でない場合には、これを完全にするために、重大な過剰圧縮およびポンプ損傷の状況が頻繁に起こる動作を実際に経験しなければならない。対照的に、本願に開示される偏心調整アセンブリによれば、ホース圧縮の実行時調整を、較正されたトルクレンチを用いて簡単に行なうことができる。ウォームの端部18は、トルクレンチを用いて回転できるような形状になっている。このようにウォームをトルクレンチによって回転させるために、正確に設定されたトルクをウォームの回転中に加えることができる。このように、印加されるトルクは常に一定であるため、ホースに加えられる圧縮力も、十分に正確に一定値に設定される。ホース圧縮を調整する際に重要なことは、一定の締付けトルクを常に印加して、ホースの磨耗に起因する圧縮緩みを補償することである。
【００２２】
図３では、偏心調整は、その最小の圧縮ギャップ位置に設定されている。図４では別個に、偏心調整は、圧縮ギャップ23がその最大値に設定される位置に、設定されて示されている。
【００２３】
図５に、本発明による偏心調整アセンブリの代替的な実施例を示す。この調整アセンブリの変更は、とくに小サイズポンプにおいてホース圧縮を設定することに適している。小サイズポンプでは、前述した減速ギアベースの調整装置を採用することは、経済的にも物理的にも実行できない。
【００２４】
図５の偏心調整アセンブリは、クランクシャフト端部におけるロックナット25、ロックコーン27、および偏心ブッシング５を含む。この実施例では、ホース圧縮調整は、図２に示した前述のものと同じ偏心調整の考え方に基づいている。これらの２つの実施例の主な違いは、円錐ブッシングを回転させるトルクを与える技術、および偏心ブッシングを所定の位置にロックするための配置に見られる。偏心ブッシングをクランクシャフトピン上で回転させることは、ブッシングを、そのフランジのキーヘッドによって、従来のレンチまたはトングを用いて回転させることによって行なわれる。偏心ブッシングは、ロックコーン27によって、所望の調整位置にロックされる。ロックコーンは、クランクシャフト端部に作られた外側のネジ山36にロックナット25を締め付けることによって、本来の位置に押圧される。ロックナットは、タブワッシャによってシャフトに固定される。ロックコーンは、ロックコーンのフランジに作られたエキストラクタネジ山24によって、取り外される。こうするために、ロックコーンフランジには、ネジ山の付いた２つの孔24が設けられていて、エキストラクタボルトを、ロックコーンを取り除くために取り付けることができる。ボルトの締め付けを、それらの先端が偏心ブッシングの内側のショルダに接触するまで行ない、それによって、偏心ブッシングがその場所から強制的に離される。正確なホース圧縮調整を行なうために、タブウェハと偏心ブッシングとの間に、調整に必要な目盛り付けを有する目盛り板を配置しても良い。目盛り板は、タブワッシャを固定するために使用されるものと同じキースロットによって、シャフトに固定される。
【００２５】
図６および７に、本発明によるアセンブリを補足するつなぎ留めホースフィッティングシステムを示す。つなぎ留めシステムは、ホース端部に挿入されるゴムフランジ32と、２つのギル33を含むと有利であるシールギルと、分割されたコレット28の２つの半片と、必要に応じて従来の配管フランジと取り替えてもよい取付フランジ７とを含む。
【００２６】
ホースの外周の周りに、互いに対してその対向する側に配置される。シールギルの断面は、0.5〜１mmの厚さに作られており、コレットに対して作られたスリット34の幅よりも厚い。なぜならば、コレットは２つの半片に分割されているからである。
【００２７】
ポンプ本体のフィードスルー開口部は、ホース端部に挿入されるホース端部フランジ32の外側直径と同じサイズか、またはわずかに大きい。ポンプキャビティ内にホースを取り付けるために、ホース端部を、キャビティ内部から、フィードスルー開口部を介して外部へ通す。フィードスルー開口部から突出する自由なホース端部の長さを、ホース厚みの約２倍になるように切り取る。分割されたコレット28は、ホース端部の周りに、ホース端部フランジ32の背後に配置される。その結果、シールギル33は、分割されたコレット半片間に捕捉された状態のままである。次に、分割されたコレットのフランジを、ホース端部にすでに挿入されているホース端部フランジに取り付ける。分割されたコレットのフランジの背後側に、０リング29を配置する。最後に、ホース端部をポンプキャビティ内へ、分割されたコレットのフランジがポンプ本体１に対して置かれた状態のままとなるように、深く押し返す。こうして、分割されたコレットに配置されたＯリングは、分割されたコレットのフランジと、ポンプ本体のフィードスルー開口部のエッジに対して作られたベベル30との間のギャップ内で、圧縮された状態のままとなる。その結果、分割されたコレットの半片をシールギルに対して押圧する力が及ぼされる。結果として、分割されたコレットの周囲とポンプキャビティとの間で、シールが確立される。ホース端部フランジと、分割されたコレットと、Ｏリングとを含むつなぎ留めフィッティングの組の締め付けは、ポンプ本体に作られたフィードスルー開口部のリムに対してネジ７を取り付けることによって行なわれる。ホース端部フランジに適応するために、取付フランジ上には、窪んだショルダ31が作られている。窪んだショルダ31は、ホース端部フランジの過剰な締め付けを防ぐように働く。窪んだショルダの深さ寸法は、取付フランジが、分割されたコレットのフランジに、ホース端部でのホース端部フランジの圧縮が約30％となるような深さで接触するように、取られている。この圧縮量は、ホース端部をしっかりとクランプされた状態に保つのに十分である。ホース端部フランジを過剰に圧縮すると、ホース端部フランジが損傷して、フランジの強度が損なわれる。ある特定の場合には、取付フランジの固定孔を、ポンプの公称上のサイズおよび圧力仕様に対応する規格化された配管フランジの位置と同じ位置に開けることができる。その結果、取付フランジを、必要に応じて従来の配管フランジと取り替えることができる。
【００２８】
ホース端部フランジに鋼鉄リングを埋め込むことによってさらに、ホース端部フランジがその形状を保持し、重い機械的な応力の下でさえもフランジがそのつなぎ留め位置から滑り落ちる可能性がないことが保証される。シールギルによって、ポンプホースをクランプする際に用いられるスリットコレットの半片間の長手方向のギャップのシーリングが得られる。またシールギルは、ポンプホースがまっすぐにクランプされていて捩れた位置にはないことを確かめるための、ポンプホースを取り付ける間の指示器としても機能する。シールギルは、ポンプホースが正確に取り付けられたときにそれらが水平位置にあるように、成型される。
【００２９】
当業者にとっては、本発明が、前述した実施例に限定されず、むしろ添付の特許請求の範囲の本発明の趣旨および範囲内で変更しても良いことが明らかである。前述した事柄だけでなく、もっと多くの利点が、本発明のアセンブリにおいて実現される構成によって得られる。つなぎ留めホースフィッティングシステムによって、ポンプホースを固定する簡単で耐引き抜き性の方法が得られる。本明細書で開示される配置によって、フランジ付きのホースおよびホースのシールされたフィードスルーを用いることができる。またホースフィッティングシステムによって、ホースを正確かつ簡単に取り付けることおよび取付けを検証することが、容易になる。さらに、規格化された配管フランジを、ポンプ接続部に用いることができる。
【００３０】
別個に、偏心調整アセンブリの利益および発明性は、ホース圧縮力を信頼性高く正確に設定することにおいて、磨耗したホースに対しても、高く評価される。偏心調整ブッシングアセンブリでは、ロックカバーによってベアリングを偏心ブッシング上に隙間なく締め付け、さらに、ロックカバーによって偏心ブッシングをロッキングして圧縮調整ギアをシーリングする。すべての調整は、たった一人のオペレータによって、特別なツールも必要とせず、複数のスペアパーツを別個に保管する必要もなく、行なうことができる。
【００３１】
本発明によるアセンブリは、ぜん動ポンプの構成における実質的な進歩を、その効率、動作信頼性、とくにサービスの容易性に関して示している。本発明の特徴は、本明細書で開示されたアセンブリが液体およびスラリのポンピングに関するものであり、ポンピングが、弾性ホースを、ホース吸引端部から出発してホース排出端部で終了するように徐々に圧縮することによって行なわれることであり、その結果、進行性の圧縮によって、圧縮点の前方の液体またはスラリ体積が前方へ移送される。前述した両方の機械的な構成を、本発明によるアセンブリで利用すると有利である。本発明の目的はとくに、ポンプキャビティ内へのポンプホースの挿入、ホース端部に対するつなぎ留め固定システム、ダウンタイムを最小限にするホースの交換方法、およびホースに加えられる圧縮の調整／ロッキングメカニズムに対する、新規で進歩性のある方法に向けられている。
【図面の簡単な説明】
【００３２】
【図１】図１は、ぜん動ホースポンプの実施例の説明である。
【図２】図２は、ぜん動ポンプに適合された本発明による偏心調整メカニズムの断面側面立面図である。
【図３】図３は、その最も高い位置に配置された本発明による偏心調整メカニズムの正面断面図である。
【図４】図４は、その最も低い位置に配置された本発明による偏心調整メカニズムの正面断面図である。
【図５】図５は、本発明による偏心調整メカニズムの断面図である。
【図６】図６は、ぜん動ポンプに適合された本発明によるつなぎ留めホースフィッティングシステムの長手方向の断面図である。
【図７】図７は、ぜん動ポンプに適合された本発明によるつなぎ留めホースフィッティングシステムの断面図である。
【図１】
0004559407.tif 000002
【図２】
0004559407.tif 000003
【図３】
0004559407.tif 000004
【図４】
0004559407.tif 000005
【図５】
0004559407.tif 000006
【図６】
0004559407.tif 000007
【図７】
0004559407.tif 000008